(57)【特許請求の範囲】
【請求項１】
複数のアイテム画像を含んだリストを示す移動対象画像を表示する表示部と、
前記表示部の表示面に１又は複数の被検出物が接触することにより指示された２つの指示位置を検出する検出部と、
前記２つの指示位置の間の距離に基づいて、前記移動対象画像を移動させる移動量を算出する移動量算出部と、
前記移動対象画像の前記移動量を示す長方形の指標を前記表示部に表示させる表示制御部と
を備え、
前記表示制御部は、所定操作を受け付けたときに前記移動量に応じて前記指標が長くなるとともに前記指標の長さに応じて前記移動対象画像の表示領域が縮小し、その後、前記移動対象画像が前記移動量だけ移動するように、前記表示部を制御し、
前記指標は、特定アイテム画像を示す移動先情報を含む矢印形状の表示欄を有し、
前記特定アイテム画像は、前記複数のアイテム画像のうち、前記移動量に応じた移動先に位置するアイテム画像であり、
前記移動先情報は、前記移動先に位置するアイテム画像の属する文字情報である、表示装置。
【請求項２】
前記移動対象画像の前記移動量は、前記移動対象画像が第１方向に移動するときの移動量を示し、
前記２つの指示位置のうち、一方の指示位置は、前記被検出物が前記表示面に接触しながら第２方向に移動するときの始点の位置を示し、他方の指示位置は、前記被検出物が前記表示面に接触しながら前記第２方向に移動するときの終点の位置を示し、
前記第２方向は、前記第１方向と逆の方向である、請求項１に記載の表示装置。
【請求項３】
前記移動対象画像の前記移動量は、前記移動対象画像が第１方向に移動するときの移動量を示し、
前記移動量算出部は、前記２つの指示位置の間の前記距離と、前記２つの指示位置の間の前記距離の上限として予め定められた上限距離と、前記移動対象画像の前記第１方向に沿った長さとに基づいて、前記移動対象画像の前記移動量を算出する、請求項１又は請求項２に記載の表示装置。
【請求項４】
前記移動対象画像の前記移動量に応じて、前記指標を表す画像の色彩が変化するように、前記表示制御部は前記表示部を制御する、請求項１から請求項３のいずれか１項に記載の表示装置。
【発明の詳細な説明】
【技術分野】
【０００１】
本発明は、表示装置に関する。
【背景技術】
【０００２】
特許文献１に記載のデータ処理装置においては、タッチパネルに指を接触させ、タッチパネル上で指を滑らせることによりスクロール表示を行う。スクロール速度は、指の接触座標の変化率に応じて設定される。また、スクロール表示は、指がタッチパネルから離れた後も継続する。指がタッチパネルから離れた後、スクロール速度は、ゼロになるまで徐々に減速する。
【０００３】
特許文献１に記載のデータ処理装置によれば、ユーザーがタッチパネル上で指を滑らせる操作を繰り返すことにより、移動対象画像を表示画面上で移動させて、移動対象画像の所望部分を表示することができる。
【先行技術文献】
【特許文献】
【０００４】
【特許文献１】特開２００７−１８０４０号公報
【発明の概要】
【発明が解決しようとする課題】
【０００５】
しかしながら、特許文献１に記載のデータ処理装置においては、移動対象画像が長い場合に所望部分を表示させるために、ユーザーは、多数回の操作を行う必要がある。また、ユーザーは、１回の操作で、移動対象画像をどの程度移動させられるのかを知ることもできない。
【０００６】
本発明は、上記課題に鑑みてなされたものであり、移動対象画像を表示画面上で移動させて、移動対象画像の所望部分を容易に表示することができる操作表示装置を提供することを目的としている。
【課題を解決するための手段】
【０００７】
本発明に係る表示装置は、表示部と、検出部と、移動量算出部と、表示制御部とを備える。前記表示部は、移動対象画像を表示する。前記検出部は、前記表示部の表示面に１又は複数の被検出物が接触することにより指示された２つの指示位置を検出する。移動量算出部は、前記２つの指示位置の間の距離に基づいて、前記移動対象画像の移動量を算出する。表示制御部は、前記移動対象画像の前記移動量を示す指標を前記表示部に表示させる。そして、前記表示制御部は、所定操作を受け付けたときに、前記移動対象画像が前記移動量だけ移動するように、前記表示部を制御する。
【発明の効果】
【０００８】
本発明に係る表示装置によれば、移動対象画像を表示画面上で移動させることにより、移動対象画像の所望部分を容易に表示することができる。
【図面の簡単な説明】
【０００９】
【図１】本発明の実施形態１に係る表示装置を示す図である。
【図２】図１に示す表示装置を備えたタブレットを示す図である。
【図３】図１に示す表示装置に対する第１操作を示す図である。
【図４】図３に示す第１操作の結果を示す図である。
【図５】図１に示す表示装置に対する第２操作を示す図である。
【図６】図５に示す第２操作の結果を示す図である。
【図７】図１に示す表示装置に対する第３操作を示す図である。
【図８】図７に示す第３操作の結果を示す図である。
【図９】本発明の実施形態２に係る画像形成装置を示す図である。
【発明を実施するための形態】
【００１０】
以下、本発明の実施形態について、図面（図１〜図９）を参照しながら説明する。なお、図中、同一又は相当部分については同一の参照符号を付して説明を繰り返さない。
【００１１】
≪実施形態１≫
以下、本発明の実施形態１を図１〜図８を参照して説明する。
【００１２】
図１は、本発明の実施形態１に係る表示装置１を示す。本実施形態において、表示装置１は、タブレットに設けられている。表示装置１は、制御部１０（表示制御部、移動量算出部）と、表示部２０と、検出部としてのタッチパネル３０とを備える。表示部２０は、例えば、液晶ディスプレーであり、画像を表示する。タッチパネル３０は、表示部２０の表面を覆うように配設される。タッチパネル３０は、表示部２０の表示面に被検出物が接触した位置を逐次に検出し、検出した位置の座標を制御部１０に入力する。
【００１３】
制御部１０は、表示部２０を制御する。制御部１０は、例えば、プロセッサー及びメモリーを含む。プロセッサーは、例えば、ＣＰＵ（Ｃｅｎｔｒａｌ  Ｐｒｏｃｅｓｓｉｎｇ  Ｕｎｉｔ）を含む。メモリーは、データ及びコンピュータープログラムを記憶する。メモリーは、例えば、半導体メモリーを含み、ＨＤＤ（Ｈａｒｄ  Ｄｉｓｋ  Ｄｒｉｖｅ）を更に含んでもよい。
【００１４】
図２は、表示装置１を備えたタブレット１００を示す。タブレット１００は、表示装置１を内蔵する。タブレット１００の外装部材は開口を有する。表示部２０の表示領域は、タブレット１００の外装部材の開口を通して外装部材の外部から視認できる。図２に示す表示部２０は、リスト２１（移動対象画像）と、カーソル２０１とを表示する。リスト２１は、複数のアイテム画像２１１を含む。
【００１５】
本実施形態において、リスト２１は、「アドレス帳」である。リスト２１がアドレス帳であれば、複数のアイテム画像２１１のそれぞれは、個人又は団体の名称と連絡先とを対応付けた連絡先情報を示す。なお、移動対象画像は、リストに限らず、例えばウェブページでもよい。
【００１６】
カーソル２０１は、表示部２０が表示するリスト２１の位置を示す。図示例においては、カーソル２０１は、表示部２０の最上部に位置している。なお、「表示部２０の最上部」とは、表示部２０の表示領域のうち、最も上に位置する部分をいう。カーソル２０１の位置が表示部２０の最上部に近いほど、表示部２０はリスト２１の冒頭に近い部分を表示する。図２に示す表示部２０は、リスト２１の冒頭部分を示す画像２０２を表示する。画像２０２は、例えば、複数のアイテム画像２１１のうち、「あ行」に属する連絡先情報を示すアイテム画像を含む。
【００１７】
次に、図３から図８を参照して、制御部１０の動作を説明する。
【００１８】
図３は、表示装置１に対する第１操作を示す。本実施形態においては、制御部１０は、移動処理を実行する。移動処理においては、制御部１０は、移動対象画像を表示画面上で移動するように、表示部２０を制御する。以下、本実施形態に係る移動処理を説明する。
【００１９】
図３に示す第１操作においては、ユーザーは、右手の人差し指Ｆ１（被検出物）を、位置Ｐ１で表示面２０Ａに一定時間（例えば、１秒）接触させる。
【００２０】
タッチパネル３０は、人差し指Ｆ１が位置Ｐ１で表示面２０Ａに接触したことを検出し、第１指示位置（一方の指示位置）を示す座標として、位置Ｐ１の座標を制御部１０に入力する。制御部１０は、人差し指Ｆ１が位置Ｐ１で表示面２０Ａに一定時間接触していることにより、本実施形態に係る移動処理を開始する。なお、図３においては、位置Ｐ１は表示面２０Ａの最上部に位置しているが、第１指示位置は、表示面２０Ａ上の任意の位置で指示できる。
【００２１】
次に、ユーザーは、人差し指Ｆ１を表示面２０Ａに接触させながら、矢印２１２が示す方向（第２方向）に位置Ｐ２まで移動させる。そして、ユーザーは、人差し指Ｆ１を位置Ｐ２で表示面２０Ａから離す。
【００２２】
タッチパネル３０は、人差し指Ｆ１が表示面２０Ａに接触しながら位置Ｐ２まで移動する際に、人差し指Ｆ１が表示面２０Ａに接触する位置を逐次に検出し、検出した位置の座標を制御部１０に入力する。そして、タッチパネル３０は、人差し指Ｆ１が表示面２０Ａから離れた位置Ｐ２を検出し、第２指示位置（他方の指示位置）を示す座標として、位置Ｐ２の座標を制御部１０に入力する。
【００２３】
第１指示位置としての位置Ｐ１は、人差し指Ｆ１が表示面２０Ａに接触しながら移動するときの始点の位置を示す。第２指示位置としての位置Ｐ２は、人差し指Ｆ１が表示面２０Ａに接触しながら移動するときの終点の位置を示す。
【００２４】
次に、制御部１０は、２つの指示位置（位置Ｐ１及び位置Ｐ２）の間の距離Ｄ１を算出する。そして、制御部１０は、距離Ｄ１に基づいて、リスト２１の移動量Ｑを算出する。リスト２１の移動方向（第１方向）は、人差し指Ｆ１が表示面２０Ａに接触しながら移動した方向（第２方向）と逆の方向である。つまり、リスト２１の移動量Ｑは、人差し指Ｆ１が表示面２０Ａに接触しながら移動した方向と逆の方向にリスト２１が移動するときの移動量を示す。
【００２５】
制御部１０は、人差し指Ｆ１が表示面２０Ａに接触しながら移動した方向として、第１指示位置（位置Ｐ１）から第２指示位置（位置Ｐ２）に向かう方向を演算により求める。本実施形態では、リスト２１の移動方向は、矢印２１３が示す方向である。矢印２１３が示す方向は矢印２１２が示す方向と逆である。なお、リスト２１の移動方向は、リスト２１が移動可能な方向であればどの方向でもよい。
【００２６】
具体的には、制御部１０は、２つの指示位置の間の距離Ｄ１と、距離Ｄ１の上限として予め定められた上限距離Ｄｘと、リスト２１の長さＱｘとに基づいて、リスト２１の移動量Ｑを算出する。
【００２７】
上限距離Ｄｘは、リスト２１が移動可能な方向に沿った表示部２０の表示領域の長さにより規定される。図３が示す例では、上限距離Ｄｘは、矢印２１３が示す方向に沿った表示部２０の表示領域の長さ以下の距離に設定される。
【００２８】
リスト２１の長さＱｘは、リスト２１が移動可能な方向に沿ったリスト２１の長さである。図３が示す例においては、リスト２１の長さＱｘは、矢印２１３が示す方向に沿ったリスト２１の長さである。
【００２９】
リスト２１の移動量Ｑは、具体的には、移動量Ｑと長さＱｘとの比の値（Ｑ／Ｑｘ）が、距離Ｄ１と上限距離Ｄｘとの比の値（Ｄ１／Ｄｘ）と等しくなるように決定される。例えば、移動量Ｑは下記式（１）により算出される。
【００３０】
Ｑ＝（Ｄ１／Ｄｘ）×Ｑｘ                                    ・・・（１）
【００３１】
図３が示すように、制御部１０は、リスト２１の移動量Ｑを示す指標２１４が表示部２０に表示されるように、表示部２０を制御する。指標２１４は、本実施形態においては、長方形の画像により示される。指標２１４の長さは、移動量Ｑに応じて設定される。指標２１４の長さは、リスト２１が移動可能な方向に沿った指標２１４の長さである。図３が示す例においては、指標２１４の長さＬ１は、矢印２１３が示す方向（第１方向）に沿った指標２１４の長さである。
【００３２】
指標２１４の長さが移動量Ｑに応じて設定されることで、指標２１４は移動量Ｑを表示可能である。例えば、移動量Ｑが大きいほど、指標２１４の長さは長く設定される。その結果、ユーザーは、移動量Ｑを直感的に認識することができる。
【００３３】
また、制御部１０は、指標２１４を表す画像の色彩が移動量Ｑに応じて変化するように、表示部２０を制御する。図３に示す指標２１４の色彩は例えば緑である。移動量Ｑに応じて、指標２１４を表す画像の色彩が変化することで、ユーザーは、移動量Ｑを直感的に認識することができる。
【００３４】
一例として、移動量Ｑと長さＱｘとの比の値（Ｑ／Ｑｘ）が第１閾値（例えば、３０％）以下であれば、指標２１４を示す画像の色彩は第１色（例えば緑）に設定される。比の値（Ｑ／Ｑｘ）が第１閾値よりも大きく、第２閾値（例えば、７０％）以下であれば、指標２１４を示す画像の色彩は第２色（例えば黄）に設定される。比の値（Ｑ／Ｑｘ）が第２閾値よりも大きければ、指標２１４を示す画像の色彩は第３色（例えば赤）に設定される。
【００３５】
更に、制御部１０は、移動量Ｑに応じてリスト２１を縮小表示する。例えば、移動量Ｑが大きいほど、リスト２１を縮小表示する縮小率は大きく設定される。
【００３６】
具体的には、図３が示すように、指標２１４の表示により、表示部２０がリスト２１を表示する表示領域は、長さＬ１の分だけ狭くなる。制御部１０は、リスト２１を示す画像（例えば、図２の画像２０２）を縮小し、画像２０２の全体を、狭くなった表示領域に表示させる。ユーザーは、リスト２１を示す画像が縮小される程度（縮小率）により、移動量Ｑを直感的に認識することができる。
【００３７】
また、画像２０２の全体が表示されることで、ユーザーは、リスト２１を移動させる以前に表示部２０が表示していた情報を知ることができる。
【００３８】
なお、制御部１０は、リスト２１を縮小表示せずに、長さＬ１だけ、矢印２１２が示す方向にリスト２１を移動するように、表示部２０を制御することもできる。
【００３９】
更に、図３が示すように、指標２１４は、移動先情報を表示する表示欄２１５を含む。移動先情報は特定アイテム画像を示す。特定アイテム画像は、複数のアイテム画像２１１のうち、移動量Ｑに応じた移動先に位置するアイテム画像である。
【００４０】
具体的には、図３に示す表示欄２１５は、矢印の形状を有し、移動先情報としての文字「さ」を表示している。文字「さ」は、移動先に、「さ行」に属する連絡先情報を示すアイテム画像２１１が位置することを示す。
【００４１】
次に、制御部１０は、所定操作を受け付けたときにリスト２１が移動量Ｑだけ矢印２１３が示す方向に移動するように、表示部２０を制御する。一例として、制御部１０は、人差し指Ｆ１が位置Ｐ２で表示面２０Ａから離れたときにリスト２１が移動量Ｑだけ移動するように、表示部２０を制御する。表示部２０を制御する方法は、スクロールであっても、ジャンプであってもよい。本明細書においては、「スクロール」は、制御部１０が、リスト２１が移動する途中経過を示しながらリスト２１が移動するように、表示部２０を制御する方法をいう。「ジャンプ」は、制御部１０が、リスト２１が瞬間的に移動するように、表示部２０を制御する方法をいう。
【００４２】
スクロールにより表示部２０を制御することで、リスト２１が移動量Ｑだけ移動する途中にどのような情報が存在するかを知ることができる。一方、ジャンプにより表示部２０を制御することで、短時間でリスト２１を移動量Ｑだけ移動することができる。
【００４３】
図４は、図３に示す第１操作の結果を示す。具体的には、図４は、リスト２１が、図２に示す状態から、矢印２１３が示す方向に移動量Ｑだけ移動した結果を示している。図４において、表示部２０は画像２０３を表示している。画像２０３は、例えば、複数のアイテム画像２１１のうち、「さ行」に属する連絡先情報を示すアイテム画像を含む。また、表示部２０は、カーソル２０１を表示している。図４に示すカーソル２０１は、表示部２０において、図２に示すカーソル２０１よりも下方（矢印２１２が示す方向）に位置する。図４に示すカーソル２０１の位置は、画像２０３に示されたアイテム画像２１１と対応する。
【００４４】
図５は、表示装置１に対する第２操作を示す。第２操作においては、ユーザーは、例えば右手の人差し指Ｆ１を位置Ｐ１で表示面２０Ａに一定時間接触させる。タッチパネル３０は、人差し指Ｆ１が位置Ｐ１で表示面２０Ａに接触したことを検出し、第１指示位置を示す座標として、位置Ｐ１の座標を制御部１０に入力する。制御部１０は、人差し指Ｆ１が位置Ｐ１で表示面２０Ａに一定時間接触していることにより、本実施形態に係る移動処理を開始する。
【００４５】
次に、ユーザーは、人差し指Ｆ１を表示面２０Ａに接触させながら、矢印２１２が示す方向に位置Ｐ３まで移動させる。そして、ユーザーは、人差し指Ｆ１を位置Ｐ３で表示面２０Ａから離す。タッチパネル３０は、人差し指Ｆ１が表示面２０Ａに接触しながら位置Ｐ３まで移動する際に、人差し指Ｆ１が表示面２０Ａに接触する位置を逐次に検出し、検出した位置の座標を制御部１０に入力する。そして、タッチパネル３０は、第２指示位置を示す座標として、人差し指Ｆ１が表示面２０Ａから離れた位置Ｐ３の座標を制御部１０に入力する。
【００４６】
第１指示位置としての位置Ｐ１は、人差し指Ｆ１が表示面２０Ａに接触しながら移動するときの始点の位置を示す。第２指示位置としての位置Ｐ３は、人差し指Ｆ１が表示面２０Ａに接触しながら移動するときの終点の位置を示す。
【００４７】
次に、制御部１０は、２つの指示位置（位置Ｐ１及び位置Ｐ３）の間の距離Ｄ２を算出する。ただし、距離Ｄ２は距離Ｄ１よりも長い。そして、制御部１０は、距離Ｄ２に基づいて、リスト２１の移動量Ｑを算出する。具体的には、制御部１０は、２つの指示位置の間の距離Ｄ２と、上限距離Ｄｘと、リスト２１の長さＱｘとに基づいて、式（１）により移動量Ｑを算出する。
【００４８】
図５が示すように、第２操作においても、制御部１０は、指標２１４を表示するように、表示部２０を制御する。第２操作によるリスト２１の移動量Ｑは第１操作によるリスト２１の移動量Ｑより大きい。第２操作によるリスト２１の移動量Ｑが第１操作によるリスト２１の移動量Ｑより大きいことで、図５に示す指標２１４の長さＬ２は図３に示す指標２１４の長さＬ１より長く設定される。
【００４９】
また、図５において、制御部１０は、指標２１４が示す画像の色彩を黄に設定する。ユーザーは、指標２１４を表す画像の色彩が移動量Ｑに応じて変化することで、移動量Ｑの変化を直感的に認識できる。
【００５０】
更に、図５が示すように、第２操作においても、制御部１０は、リスト２１を縮小表示するように、表示部２０を制御する。第２操作によるリスト２１の移動量Ｑが第１操作によるリスト２１の移動量Ｑより大きいことで、第２操作によるリスト２１の縮小率は第１操作によるリスト２１の縮小率より大きく設定される。
【００５１】
更に、図５が示すように、第２操作においては、指標２１４の表示欄２１５は文字「な」を表示している。文字「な」は、移動先に、「な行」に属する連絡先情報を示すアイテム画像２１１が位置することを示す。
【００５２】
次に、制御部１０は、所定操作を受け付けたときにリスト２１が移動量Ｑだけ矢印２１３が示す方向に移動するように、表示部２０を制御する。一例として、制御部１０は、人差し指Ｆ１が位置Ｐ３で表示面２０Ａから離れたときにリスト２１が移動量Ｑだけ移動するように、表示部２０を制御する。
【００５３】
図６は、図５に示す第２操作の結果を示す。具体的には、図６は、リスト２１が、図２に示す状態から、矢印２１３が示す方向に移動量Ｑだけ移動した結果を示している。図６において、表示部２０は画像２０４を表示している。画像２０４は、例えば、複数のアイテム画像２１１のうち、「な行」に属する連絡先情報を示すアイテム画像を含む。また、表示部２０は、カーソル２０１を表示している。図６に示すカーソル２０１は、表示部２０において、図４に示すカーソル２０１よりも更に下方（矢印２１２が示す方向）に位置する。図６に示すカーソル２０１の位置は、画像２０４に示されたアイテム画像２１１と対応する。
【００５４】
図７は、表示装置１に対する第３操作を示す。第３操作においては、ユーザーは、例えば右手の人差し指Ｆ１を位置Ｐ１で表示面２０Ａに一定時間接触させる。タッチパネル３０は、人差し指Ｆ１が位置Ｐ１で表示面２０Ａに接触したことを検出し、第１指示位置を示す座標として、位置Ｐ１の座標を制御部１０に入力する。制御部１０は、人差し指Ｆ１が位置Ｐ１で表示面２０Ａに一定時間接触していることにより、本実施形態に係る移動処理を開始する。
【００５５】
次に、ユーザーは、人差し指Ｆ１を表示面２０Ａに接触させながら、矢印２１２が示す方向に位置Ｐ４まで移動させる。そして、ユーザーは、人差し指Ｆ１を位置Ｐ４で表示面２０Ａから離す。
【００５６】
タッチパネル３０は、人差し指Ｆ１が表示面２０Ａに接触しながら位置Ｐ４まで移動する際に、人差し指Ｆ１が表示面２０Ａに接触する位置を逐次に検出し、検出した位置の座標を制御部１０に入力する。そして、タッチパネル３０は、人差し指Ｆ１が表示面２０Ａから離れた位置Ｐ４を検出し、第２指示位置を示す座標として、位置Ｐ４の座標を制御部１０に入力する。
【００５７】
第１指示位置としての位置Ｐ１は、人差し指Ｆ１が表示面２０Ａに接触しながら移動するときの始点の位置を示す。第２指示位置としての位置Ｐ４は、人差し指Ｆ１が表示面２０Ａに接触しながら移動するときの終点の位置を示す。
【００５８】
次に、制御部１０は、２つの指示位置（位置Ｐ１及び位置Ｐ４）の間の距離Ｄ３を算出する。ただし、距離Ｄ３は距離Ｄ１及び距離Ｄ２よりも長い。そして、制御部１０は、距離Ｄ３に基づいて、リスト２１の移動量Ｑを算出する。具体的には、制御部１０は、２つの指示位置の間の距離Ｄ３と、上限距離Ｄｘと、リスト２１の長さＱｘとに基づいて、式（１）により移動量Ｑを算出する。
【００５９】
図７が示すように、第３操作においても、制御部１０は、指標２１４を表示するように、表示部２０を制御する。第３操作によるリスト２１の移動量Ｑは第２操作によるリスト２１の移動量Ｑより大きい。第３操作によるリスト２１の移動量Ｑが第２操作によるリスト２１の移動量Ｑより大きいことで、図７に示す指標２１４の長さＬ３は図５に示す指標２１４の長さＬ２より長く設定される。
【００６０】
また、図７において、制御部１０は、指標２１４が示す画像の色彩を赤に設定する。ユーザーは、指標２１４を表す画像の色彩が移動量Ｑに応じて変化することで、移動量Ｑの変化を直感的に認識できる。
【００６１】
更に、図７が示すように、第３操作においても、制御部１０は、リスト２１を縮小表示するように、表示部２０を制御する。第３操作によるリスト２１の移動量Ｑが第２操作によるリスト２１の移動量Ｑより大きいことで、第３操作によるリスト２１の縮小率は第２操作によるリスト２１の縮小率より大きく設定される。
【００６２】
更に、図７が示すように、第３操作においては、指標２１４の表示欄２１５は文字「わ」を表示している。文字「わ」は、移動先に、「わ行」に属する連絡先情報を示すアイテム画像が位置することを示す。
【００６３】
次に、制御部１０は、所定操作を受け付けたときにリスト２１が移動量Ｑだけ矢印２１３が示す方向に移動するように、表示部２０を制御する。一例として、制御部１０は、人差し指Ｆ１が位置Ｐ４で表示面２０Ａから離れたときにリスト２１が移動量Ｑだけ移動するように、表示部２０を制御する。
【００６４】
図８は、図７に示す第３操作の結果を示す。具体的には、図８は、リスト２１が、図２に示す状態から、矢印２１３が示す方向に移動量Ｑだけ移動した結果を示している。図８において、表示部２０は画像２０５を表示している。画像２０５は、例えば、複数のアイテム画像２１１のうち、「わ行」に属する連絡先情報を示すアイテム画像を含む。また、表示部２０は、カーソル２０１を表示している。図８に示すカーソル２０１は、表示部２０において、図６に示すカーソル２０１よりも更に下方（矢印２１２が示す方向）に位置する。図８に示すカーソル２０１の位置は、画像２０５に示されたアイテム画像２１１と対応する。
【００６５】
本実施形態においては、制御部１０は、人差し指Ｆ１が位置Ｐ１で表示面２０Ａに一定時間接触していることにより、本実施形態に係る移動処理を開始する。なお、人差し指Ｆ１が、位置Ｐ１で表示面２０Ａに接触した後、一定時間が経過する前に、位置Ｐ１から移動した場合は、一般的な移動処理が実行される。一般的な移動処理の例として、スワイプ処理がある。スワイプ処理については、後述する。つまり、制御部１０は、本実施形態に係る移動処理を実行する第１モードと、一般的な移動処理を実行する第２モードの２つのモードで、表示部２０を制御する。
【００６６】
なお、表示装置１は、制御部１０が第１モードで表示部２０を制御することを禁止するように設定する機能を有する。設定により第１モードによる制御が禁止される場合には、制御部１０は、人差し指Ｆ１が位置Ｐ１で表示面２０Ａに一定時間接触しているか否かに関わらず、第２モードで表示部２０を制御する。
【００６７】
本実施形態においては、ユーザーが、２本の指で表示面２０Ａに接触し、２本の指を表示面２０Ａに接触させながら移動し、２本の指を表示面２０Ａから離した場合にも、制御部１０は、第１モードにより表示部２０を制御することができる。タッチパネル３０は、２本の指が表示面２０Ａに接触した位置をそれぞれ検出する。タッチパネル３０は、第１指示位置を示す座標として、２本の指が表示面２０Ａにそれぞれ接触した位置の中央の位置の座標を制御部１０に入力する。タッチパネル３０は、２本の指が表示面２０Ａから離れた位置をそれぞれ検出する。タッチパネル３０は、第２指示位置を示す座標として、２本の指が表示面２０Ａからそれぞれ離れた位置の中央の位置の座標を制御部１０に入力する。制御部１０は、２本の指が表示面２０Ａに接触しながら移動した方向と逆の方向にリスト２１を移動するように、表示部２０を制御する。
【００６８】
また、本実施形態においては、ユーザーが、１本目の指で表示面２０Ａに接触し、２本目の指で表示面２０Ａに接触し、２本目の指を表示面２０Ａに接触させながら移動し、２本目の指を表示面２０Ａから離した場合にも、制御部１０は、第１モードにより表示部２０を制御することができる。タッチパネル３０は、２本目の指が表示面２０Ａに接触した位置を検出する。タッチパネル３０は、第１指示位置を示す座標として、２本目の指が表示面２０Ａに接触した位置の座標を制御部１０に入力する。タッチパネル３０は、２本目の指が表示面２０Ａから離れた位置を検出する。タッチパネル３０は、第２指示位置を示す座標として、２本目の指が表示面２０Ａから離れた位置の座標を制御部１０に入力する。制御部１０は、２本目の指が表示面２０Ａに接触しながら移動した方向と逆の方向にリスト２１を移動するように、表示部２０を制御する。
【００６９】
更に、本実施形態においては、ユーザーが、２本の指で表示面２０Ａに接触し、３本目の指で表示面２０Ａに接触し、３本目の指を表示面２０Ａに接触させながら移動し、３本目の指を表示面２０Ａから離した場合にも、制御部１０は、第１モードにより表示部２０を制御することができる。タッチパネル３０は、３本目の指が表示面２０Ａに接触した位置を検出する。タッチパネル３０は、第１指示位置を示す座標として、３本目の指が表示面２０Ａに接触した位置の座標を制御部１０に入力する。タッチパネル３０は、３本目の指が表示面２０Ａから離れた位置を検出する。タッチパネル３０は、第２指示位置を示す座標として、３本目の指が表示面２０Ａから離れた位置の座標を制御部１０に入力する。制御部１０は、３本目の指が表示面２０Ａに接触しながら移動した方向と逆の方向にリスト２１を移動するように、表示部２０を制御する。
【００７０】
次に、第２モードで実行するスワイプ処理を説明する。スワイプは、携帯端末（例えば、スマートフォン、タブレット）を操作する一般的なジェスチャーである。具体的には、スワイプは、携帯端末の表示部の表面（例えばタッチパネル）に指を触れながら滑らせ、指を止めることなく表示部の表面から指を離すジェスチャーである。スワイプは、例えば表示部に表示された画像をスクロールする操作として規定される。
【００７１】
本実施形態においては、制御部１０は、第２モードで表示部２０を制御する場合にスワイプ処理を実行する。スワイプ処理においては、スワイプにおける指の移動速度に応じて移動対象画像のスクロール速度が設定される。また、スワイプを行う指が表示部の表面から離れた後、スクロール速度がゼロになるまで徐々に減速される。スワイプ処理において移動対象画像が移動する方向は、スワイプにおいて指が移動する方向と同じである。
【００７２】
図３〜図８に示す移動処理によれば、移動量Ｑを示す指標２１４が表示部２０に表示されることで、ユーザーは、リスト２１の所望部分を容易に表示部２０に表示させることができる。
【００７３】
また、図３〜図８に示す移動処理によれば、人差し指Ｆ１が表示面に接触しながら移動する方向と、リスト２１が移動する方向とが逆であることで、スワイプに慣れていないユーザーであっても、リスト２１の所望部分を容易に表示部２０に表示させることができる。
【００７４】
また、図３〜図８に示す移動処理によれば、移動量Ｑが２つの指示位置の間の距離（距離Ｄ１、距離Ｄ２又は距離Ｄ３）と、上限距離Ｄｘと、リスト２１の移動可能な方向におけるリスト２１の長さとに基づいて算出されることで、リスト２１の長さが長い場合にも、ユーザーは、スワイプよりも少ない回数の操作でリスト２１の所望部分を表示させることができる。従って、リスト２１の所望部分を容易に表示部２０に表示させることができる。
【００７５】
また、図３〜図８に示す移動処理によれば、指標２１４を表す画像の色彩が移動量Ｑに応じて変化することで、ユーザーは、移動量Ｑを直感的に認識することができる。
【００７６】
また、図３〜図８に示す移動処理によれば、指標２１４が、移動量Ｑに応じた移動先に位置するアイテム画像２１１（特定アイテム画像）を示す情報を含むことで、ユーザーは、リスト２１の所望部分を容易に表示部２０に表示させることができる。
【００７７】
≪実施形態２≫
図９を参照して、本発明の実施形態２に係る画像形成装置２について説明する。図９は、画像形成装置２を示す。画像形成装置２は、例えば、複写機、プリンター、ファクシミリ、又は複合機である。複合機は、例えば、複写機、プリンター、及びファクシミリのうち少なくとも２つの機器を備える。
【００７８】
画像形成装置２は、制御部１０と、原稿搬送部１０１と、画像読取部１１０と、収納部１２０と、搬送部１３０と、画像形成部１４０と、定着部１５０と、排出部１６０とを備える。シートＴは、シート搬送方向に沿って画像形成装置２の内部を搬送される。
【００７９】
制御部１０は、実施形態１に係る制御部１０として機能し、表示部２０は、実施形態１に係る表示部２０として機能し、タッチパネル３０は、実施形態１に係るタッチパネル３０として機能する。従って、画像形成装置２に備えられる制御部１０、表示部２０、及びタッチパネル３０は、実施形態１に係る表示装置１に備えられる。
【００８０】
原稿搬送部１０１は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１はシートＴを積載する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。
【００８１】
搬送部１３０は、画像形成部１４０にシートＴを搬送する。画像形成部１４０は、感光体ドラム１４１、帯電部１４２、露光部１４３、現像部１４４、転写部１４５、クリーニング部１４６、及び除電部１４７を含み、シートＴに画像を形成（印刷）する。
【００８２】
画像の形成されたシートＴは定着部１５０に向けて搬送される。定着部１５０は、シートＴを加熱及び加圧して、シートＴに画像を定着させる。画像が定着されたシートＴは排出部１６０に向けて搬送される。排出部１６０はシートＴを排出する。
【００８３】
制御部１０は、画像形成装置２の各要素を制御する。具体的には、制御部１０が、メモリーに格納されたコンピュータープログラムを実行することにより、表示部２０、原稿搬送部１０１、画像読取部１１０、収納部１２０、搬送部１３０、画像形成部１４０、及び定着部１５０を制御する。制御部１０は、例えば、ＣＰＵ（Ｃｅｎｔｒａｌ  Ｐｒｏｃｅｓｓｉｎｇ  Ｕｎｉｔ）である。
【００８４】
以上、図９を参照して説明したように、実施形態２によれば、画像形成装置２は、実施形態１に係る表示装置１として機能する。従って、実施形態１と同様に、移動対象画像を表示画面上で移動させることにより移動対象画像の所望部分を表示させる場合に、移動対象画像の所望部分を容易に表示させることができる。その他、実施形態１と同様の効果を得ることができる。
【００８５】
以上、図面（図１〜図９）を参照しながら本発明の実施形態について説明した。但し、本発明は、上記の実施形態に限られるものではなく、その要旨を逸脱しない範囲で種々の態様において実施することが可能である（例えば、下記（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００８６】
（１）上記の実施形態においては、人差し指Ｆ１が表示面２０Ａに接触しながら２つの位置（例えば位置Ｐ１及び位置Ｐ２）の間を移動することにより、第１指示位置及び第２指示位置が指示された。しかしながら、本発明においては、２つの指示位置を、被検出物の表示面への単なる接触により指示することもできる（変形例１、２）。
【００８７】
変形例１として、ユーザーは、互いに離間させた２本の指で表示面２０Ａに接触し、いずれかの指を表示面２０Ａ上で滑らせ、滑らせた指を表示面２０Ａから離す。タッチパネル３０は、２本の指が表示面２０Ａに接触した位置をそれぞれ検出し、それぞれの位置の座標を制御部１０に入力する。制御部１０は、２本の指が表示面２０Ａにそれぞれ接触した位置の間隔と、上限距離Ｄｘと、リスト２１の長さＱｘとに基づいて、リスト２１の移動量Ｑを算出する。そして、タッチパネル３０は、表示面２０Ａ上で滑る指の位置を逐次に検出し、指の位置を示す座標を制御部１０に入力する。制御部１０は、指が滑る方向と逆の方向にリスト２１を移動するように、表示部２０を制御する。
【００８８】
（２）変形例２としては、ユーザーは２本の指で表示面２０Ａに接触し、３本目の指で表示面２０Ａに接触し、３本目の指を表示面２０Ａ上で滑らせ、３本目の指を表示面２０Ａから離す。タッチパネル３０は、２本の指が表示面２０Ａにそれぞれ接触した位置を検出し、第１指示位置を示す座標として、２本の指が表示面２０Ａにそれぞれ接触した位置の中央の位置を示す座標を制御部１０に入力する。また、タッチパネル３０は、３本目の指が表示面２０Ａに接触した位置を検出し、第２指示位置を示す座標として、３本目の指が表示面２０Ａに接触した位置の座標を制御部１０に入力する。
【００８９】
制御部１０は、第１指示位置と第２指示位置との間隔と、上限距離Ｄｘと、リスト２１の長さＱｘとに基づいて、リスト２１の移動量Ｑを算出する。そして、タッチパネル３０は、３本目の指の位置を逐次に検出し、３本目の指の位置を示す座標を制御部１０に入力する。制御部１０は、３本目の指が滑る方向と逆の方向にリスト２１が移動するように、表示部２０を制御する。
【００９０】
（３）上記の実施形態、変形例１及び変形例２においては、制御部１０は、被検出物（例えば人差し指Ｆ１）が移動する方向と逆の方向にリスト２１が移動するように、表示部２０を制御している。被検出物が移動する方向と逆の方向に限らず、制御部１０は、被検出物が移動する方向と同じ方向にリスト２１が移動するように、表示部２０を制御することもできる。
【００９１】
（４）被検出物は人差し指Ｆ１等のユーザーの指に限らない。被検出物はタッチペンであり得る。
【産業上の利用可能性】
【００９２】
本発明は、表示装置及び画像形成装置に関するものであり、産業上の利用可能性を有する。
【符号の説明】
【００９３】
１      ：表示装置
２      ：画像形成装置
１０    ：制御部
２０    ：表示部
２０Ａ  ：表示面
２１    ：リスト
３０    ：タッチパネル
１００  ：タブレット
２１１  ：アイテム画像
２１４  ：指標
２１５  ：表示欄
Ｄｘ    ：上限距離
Ｑ      ：移動量
Ｑｘ    ：長さ
【図１】
0006500827.tif 000002
【図２】
0006500827.tif 000003
【図３】
0006500827.tif 000004
【図４】
0006500827.tif 000005
【図５】
0006500827.tif 000006
【図６】
0006500827.tif 000007
【図７】
0006500827.tif 000008
【図８】
0006500827.tif 000009
【図９】
0006500827.tif 000010